(57)【要約】【課題】速報を除去する。【解決手段】映像および音声を有するコンテンツを記録媒体へ記録する録画装置であって、前記コンテンツを入力するコンテンツ入力部と、前記入力したコンテンツから速報を知らせるための警告音を検出する警告音検出部と、前記警告音が検出された場合に、当該検出された警告音を除去する警告音除去処理と、当該検出された警告音に対応するシーンを構成する映像の特定領域から文字列を検出して当該文字列を当該文字列以外の映像情報により補間する文字補間処理と、を実行する音声映像処理部と、前記警告音除去処理と前記文字補間処理とが施されたコンテンツを記録媒体へ記録する記録処理部とを備える。【選択図】図２
2016012759.tif 000002
【特許請求の範囲】
【請求項１】
映像および音声を有するコンテンツを記録媒体へ記録する録画装置であって、
前記コンテンツを入力するコンテンツ入力部と、
前記入力したコンテンツから速報を知らせるための警告音を検出する警告音検出部と、
前記警告音が検出された場合に、当該検出された警告音を除去する警告音除去処理と、当該検出された警告音に対応するシーンを構成する映像の特定領域から文字列を検出して当該文字列を当該文字列以外の映像情報により補間する文字補間処理と、を実行する音声映像処理部と、
前記警告音除去処理と前記文字補間処理とが施された前記コンテンツを記録媒体へ記録する記録処理部と、を備えることを特徴とする録画装置。
【請求項２】
前記音声映像処理部は、前記警告音が検出され、かつ、当該検出された警告音に対応するシーンを構成する映像の特定領域から文字列を検出した場合に、前記警告音除去処理と前記文字補間処理とを実行することを特徴とする請求項１に記載の録画装置。
【請求項３】
映像および音声を有するコンテンツを記録媒体へ記録する録画装置であって、
前記コンテンツを入力するコンテンツ入力部と、
前記入力したコンテンツから速報を知らせるための警告音を検出する警告音検出部と、
前記警告音が検出された場合に、当該検出された警告音の存在を示すためのマーキング情報を前記コンテンツに付すマーキング処理部と、
前記マーキング情報が付された前記コンテンツを第１の記録媒体へ記録する第１記録処理部と、
前記第１の記録媒体に記録された前記コンテンツに付された前記マーキング情報に基づいて当該コンテンツに含まれる前記警告音を除去する警告音除去処理と、当該警告音に対応するシーンを構成する映像の特定領域から文字列を検出して当該文字列を当該文字列以外の映像情報により補間する文字補間処理と、を実行する音声映像処理部と、
前記警告音除去処理と前記文字補間処理とが施された前記コンテンツを第２の記録媒体へ記録する第２記録処理部と、を備えることを特徴とする録画装置。
【請求項４】
前記速報を除去することの指示を外部から受け付け可能な指示受付部を備え、
前記指示受付部が前記指示を受け付けた場合に、前記音声映像処理部は、前記警告音除去処理と前記文字補間処理とを実行し、前記第２記録処理部は、前記警告音除去処理と前記文字補間処理とが施された前記コンテンツを第２の記録媒体へ記録し、
前記指示受付部が前記指示を受け付けなかった場合には、前記第２記録処理部は、前記第１の記録媒体に記録された前記コンテンツをそのまま前記第２の記録媒体へ記録する、ことを特徴とする請求項３に記載の記録措置。
【請求項５】
前記警告音の除去の強度と前記補間の強度との設定を外部から受け付け可能な設定受付部を備え、
前記音声映像処理部は、前記設定受付部が受け付けた前記警告音の除去の強度と前記補間の強度との設定に従って、前記警告音除去処理と前記文字補間処理とを実行することを特徴とする請求項１〜請求項４のいずれかに記載の録画装置。 
【発明の詳細な説明】
【技術分野】
【０００１】
本発明は、録画装置に関する。
【背景技術】
【０００２】
テレビ番組においては、緊急性の高いニュースや自然災害（地震、大雨等）の発生を知らせるために、警告音（チャイム音）とともにテキスト（文字列）による速報が併せて放送されることがある。そのため、あるテレビ番組を記録媒体へ録画したときに、あるシーンに速報が含まれた状態で録画されていることがある。
【０００３】
ここで、映像処理装置は、入力される一連の映像フレームからテロップを含むテロップ領域を検出するテロップ検出部と、一連の映像フレームに対応し、入力される一連の音声信号から速報音を検出する速報音検出部と、一連の映像フレームのうちテロップ領域が検出された映像フレームにおけるテロップ領域を、一連の映像フレームのうちテロップ領域のテロップが出現する前の映像フレームから得られる画像に置き換え、テロップ領域が置き換えられた映像フレームを出力する映像処理部とを備え、映像処理部は、速報音検出部の検出結果に基づき、速報音を伴うテロップのテロップ領域を選択的に置き換える構成が知られている（特許文献１参照）。
【０００４】
また、番組コンテンツの一部領域に緊急放送信号が多重されて記録された記録媒体と、前記記録媒体より再生された前記番組コンテンツから前記緊急放送信号の多重位置である一部領域をあらかじめ設定している条件に基づいて検出する特定領域検出部と、前記特定領域検出部により検出された前記一部領域に対応して、フィールド間若しくはフレーム間補間処理、若しくは周辺画素補間処理のいずれかにより生成した補間映像を得る補間映像生成部と、前記記録媒体から再生された番組コンテンツの中に緊急放送信号が存在するか否かを検出するリアルタイム情報検出部と、前記リアルタイム情報検出部が前記リアルタイム情報を検出したとき、前記補間映像を前記番組コンテンツの前記一部領域に合成した合成映像を得る合成部とを有した映像再生装置が知られている（特許文献２参照）。
【先行技術文献】
【特許文献】
【０００５】
【特許文献１】特開２０１３‐１７９５６３号公報
【特許文献２】特開２００９‐１４７７４９号公報
【発明の概要】
【発明が解決しようとする課題】
【０００６】
テレビ番組と一緒に速報も録画されていると、テレビ番組本来の映像や音声の邪魔となり、録画した番組を再生した際のユーザの視聴の快適性を損なう恐れがある。また、前記文献は、テロップを消去したり、緊急放送信号の多重位置である一部領域に補間映像を合成したりするものでるが、これだけでは速報の存在を十分に除去しているとは言えなかった。
【０００７】
本発明は少なくとも上述の課題を解決するためになされたものであり、速報の除去に有用な録画装置を提供する。
【課題を解決するための手段】
【０００８】
本発明の態様の一つは、映像および音声を有するコンテンツを記録媒体へ記録する録画装置であって、前記コンテンツを入力するコンテンツ入力部と、前記入力したコンテンツから速報を知らせるための警告音を検出する警告音検出部と、前記警告音が検出された場合に、当該検出された警告音を除去する警告音除去処理と、当該検出された警告音に対応するシーンを構成する映像の特定領域から文字列を検出して当該文字列を当該文字列以外の映像情報により補間する文字補間処理と、を実行する音声映像処理部と、前記警告音除去処理と前記文字補間処理とが施された前記コンテンツを記録媒体へ記録する記録処理部と、を備える。
【０００９】
本態様によれば、録画装置は、入力したコンテンツから速報を知らせるための警告音を検出したことを条件として、警告音除去処理と文字補間処理とを実行し、警告音除去処理と文字補間処理とを施したコンテンツを記録媒体へ記録する。従って、前記速報としての音声（警告音）および文字列が除去された状態でコンテンツが録画される。
【００１０】
本発明の技術的思想は、録画装置という物以外の態様によって実現されてもよい。録画装置の各部が実行する各工程を含む方法を、一つの発明として捉えることができる。また、このような方法を、ハードウェア（録画装置等）に実行させるためのプログラムや、当該プログラムを記憶したコンピュータ読取可能な記憶媒体を、それぞれ発明として捉えることができる。
【図面の簡単な説明】
【００１１】
【図１】装置の概略構成を例示するブロック図。
【図２】第１実施例にかかる番組記録処理を示すフローチャート。
【図３】フレーム内の特定領域を例示する図。
【図４】第２実施例にかかる番組記録処理を示すフローチャート。
【図５】第３実施例にかかる番組記録処理を示すフローチャート。
【図６】設定画面を例示する図。
【発明を実施するための形態】
【００１２】
本発明の実施形態として、前記音声映像処理部は、前記警告音が検出され、かつ、当該検出された警告音に対応するシーンを構成する映像の特定領域から文字列を検出した場合に、前記警告音除去処理と前記文字補間処理とを実行するとしてもよい。
【００１３】
また、本発明の実施形態として、映像および音声を有するコンテンツを記録媒体へ記録する録画装置であって、前記コンテンツを入力するコンテンツ入力部と、前記入力したコンテンツから速報を知らせるための警告音を検出する警告音検出部と、前記警告音が検出された場合に、当該検出された警告音の存在を示すためのマーキング情報を前記コンテンツに付すマーキング処理部と、前記マーキング情報が付された前記コンテンツを第１の記録媒体へ記録する第１記録処理部と、前記第１の記録媒体に記録された前記コンテンツに付された前記マーキング情報に基づいて当該コンテンツに含まれる前記警告音を除去する警告音除去処理と、当該警告音に対応するシーンを構成する映像の特定領域から文字列を検出して当該文字列を当該文字列以外の映像情報により補間する文字補間処理と、を実行する音声映像処理部と、前記警告音除去処理と前記文字補間処理とが施された前記コンテンツを第２の記録媒体へ記録する第２記録処理部と、を備える構成としてもよい。
【００１４】
また、本発明の実施形態として、録画装置は、前記速報を除去することの指示を外部から受け付け可能な指示受付部を備え、前記指示受付部が前記指示を受け付けた場合に、前記音声映像処理部は、前記警告音除去処理と前記文字補間処理とを実行し、前記第２記録処理部は、前記警告音除去処理と前記文字補間処理とが施された前記コンテンツを第２の記録媒体へ記録し、前記指示受付部が前記指示を受け付けなかった場合には、前記第２記録処理部は、前記第１の記録媒体に記録された前記コンテンツをそのまま前記第２の記録媒体へ記録する、としてもよい。
【００１５】
また、本発明の実施形態として、録画装置は、前記警告音の除去の強度と前記補間の強度との設定を外部から受け付け可能な設定受付部を備え、前記音声映像処理部は、前記設定受付部が受け付けた前記警告音の除去の強度と前記補間の強度との設定に従って、前記警告音除去処理と前記文字補間処理とを実行するとしてもよい。
【００１６】
以下、図面を参照しながら本発明の実施形態を更に説明する。以下の実施形態では、テレビ放送される番組を受信して録画可能な録画装置の一例であるハードディスクレコーダ（以下、レコーダ）に本発明を適用した場合について説明する。ただし、録画装置は、以下に説明するレコーダと同等の機能を少なくとも実現するものであればよく、テレビジョン受像機、ＰＣ（パーソナルコンピュータ）、ゲーム機器、タブレット型端末、携帯型端末、等の様々な製品によって実現され得る。録画装置は、録画（記録）再生装置、放送受信装置、ダビング装置、等と呼んでもよい。
【００１７】
（装置の概略）
レコーダ１００の構成について説明する。レコーダ１００は、図１に示すように、表示装置２００が接続される。また、レコーダ１００は、リモートコントローラ（リモコン）２により遠隔操作される。
【００１８】
レコーダ１００は、チューナ１１と、ＨＤＤ（Hard disk drive）部１２と、ＤＶＤ（Digital Versatile Disk）部１３と、信号処理部１４と、出力部１８と、受信部１９と、制御部２０とを含んでおり、これらはバス１ａを介して接続されている。
【００１９】
チューナ１１には、アンテナ（図示省略）が接続されており、例えば、チューナ１１は、地上デジタル放送、ＢＳデジタル放送、ＣＳデジタル放送等の様々なテレビ放送を受信する。チューナ１１は、受信した放送信号を信号処理部１４に出力する。チューナ１１が出力する放送信号には、番組（コンテンツ）を構成する映像信号および音声信号が含まれている。
【００２０】
ＨＤＤ部１２は、記録媒体としてのハードディスク等を有している。チューナ１１が受信した放送信号に含まれた番組は、所定の圧縮形式で圧縮した動画データの形態等でハードディスクに一コンテンツとして録画される。また、ＨＤＤ部１２は、録画されたコンテンツを信号処理部１４に出力する。ＤＶＤ部１３は、ディスクトレイや光ピックアップなどを有しており、ディスクトレイに載置されたＤＶＤ（図示省略）に対する読み込みおよび書き込みを行う。ハードディスクは、レコーダ１００に内蔵されたものに限らず、いわゆる外付けされたものであってもよい。ＤＶＤ部１３は、記録媒体としてのＤＶＤから読み込んだコンテンツを信号処理部１４に出力する。むろん、ＤＶＤ部１３は、記録媒体としてＤＶＤ以外の光ディスク（ＣＤやブルーレイディスク等）に対する読み込みおよび書き込みを実行可能な製品でもよい。
【００２１】
信号処理部１４は、デコーダなどを有しており、チューナ１１から入力された放送信号に対して復調、誤り訂正、多重分離、復号化等の所定の処理を施す。また、信号処理部１４は、ＨＤＤ部１２やＤＶＤ部１３から入力された信号に対して復号化等の所定の処理を施す。そして、信号処理部１４は、所定の処理が施された信号（コンテンツを構成する映像信号および音声信号）を出力部１８に出力する。出力部１８は、信号処理部１４から入力された信号を表示装置２００に出力する。表示装置２００は、たとえば、テレビジョン受像機であり、入力された映像信号に基づくコンテンツの映像を表示し、また、入力された音声信号に基づくコンテンツの音声を不図示のスピーカから出力する。あるいは、レコーダ１００および表示装置２００の機能を含んだ構成を、一つの製品（テレビジョン受像機）として捉えることも可能である。
【００２２】
受信部１９は、フォトダイオードなどを含み、リモコン２から出力されるリモコン信号を受信する。制御部２０は、ＣＰＵ２２、ＲＯＭ２３、ＲＡＭ２４等を有するＩＣである。制御部２０では、ＣＰＵ２２が、レコーダ１００の動作を所定のプログラムに従って制御する。ＲＯＭ２３は、書き換え可能な不揮発性のメモリであり、たとえば、フラッシュメモリである。ＲＯＭ２３は、前記プログラム等を記憶する。ＲＡＭ２４は、たとえば、ＤＲＡＭであり、前記プログラムが実行される際にデータなどを一時的に記憶する。なお、図１に記載したレコーダ１００の各構成は、一か所あるいは同じ筐体に集約されている必要はなく、有線または無線にて通信可能に接続されて結果的にレコーダ１００と同様の機能を果たすシステムであってもよい。
【００２３】
（第１実施例）
図２は、第１実施例にかかる番組記録処理を示すフローチャートである。当該フローチャートの各ステップは、制御部２０による制御下で実行される。第１実施例における番組記録処理は、放送信号を受信して、当該放送信号に含まれる番組を記録媒体に記録（録画）する録画処理や、既にある記録媒体に記録（録画）されている番組のデータを、他の記録媒体に記録（ダビング）するダビング処理を想定している。記録媒体とは、主として、上述したＨＤＤ部１２が有するハードディスクや、ＤＶＤ部１３が扱うＤＶＤ等の光ディスクであるが、ＶＨＳ方式のビデオテープ等を含めて、レコーダ１００が情報の記録に使用できるメディアであればよい。
【００２４】
ステップＳ１００では、制御部２０は、記録の対象となるコンテンツを信号処理部１４に入力させる。具体的には、制御部２０は、ある番組を録画する録画処理であれば、チューナ１１を制御して受信させた放送信号（番組が重畳された放送信号）を信号処理部１４に入力させる。また、制御部２０は、ハードディスクに録画された番組を光ディスクにダビングするダビング処理であれば、ＨＤＤ部１２を制御してハードディスクに録画済みの番組のデータを信号処理部１４に入力させる。ステップＳ１００の実現に関わる構成（制御部２０や信号処理部１４）は、コンテンツ入力部の一例に該当する。
【００２５】
ステップＳ１１０では、信号処理部１４は、ステップＳ１００で入力されたコンテンツから速報を知らせるための警告音を検出したか否か判定する。例えば、信号処理部１４は、チューナ１１から順次入力される放送信号を復調等し、デジタルデータとしてのＴＳ（トランスポートストリーム）を構成するパケットを得て、パケットから番組の音声信号および映像信号を復号化する。あるいは、信号処理部１４は、ハードディスクから入力される番組のデータを構成するパケットから音声信号および映像信号を復号化する。そして、この音声信号を周波数分析していき、前記警告音に相当する周波数として予め登録された特定の周波数の信号が抽出された場合に、前記警告音を検出した（警告音の検出成功）と判定する。警告音を検出したと判定した場合、処理はステップＳ１２０へ進み、警告音を検出しなかったと判定した場合、処理はステップＳ１３０へ進む。ステップＳ１１０の実現に関わる構成（信号処理部１４）は、警告音検出部の一例に該当する。
【００２６】
ステップＳ１２０では、信号処理部１４は、ステップＳ１１０で検出された警告音を除去する警告音除去処理と、当該警告音に対応するシーンを構成する映像の特定領域から文字列を検出して当該文字列を当該文字列以外の映像情報により補間する文字補間処理と、を実行する。警告音除去処理では、信号処理部１４は、前記特定の周波数の音をノイズとして除去するように設計されたノイズキャンセル用のフィルタ（バンドパスフィルタ等）をステップＳ１００で入力されたコンテンツの音声信号に適用することにより、前記警告音を除去した音声信号を得る。
【００２７】
文字補間処理では、信号処理部１４は、前記警告音が発生した時点の音声信号と同期する映像信号（フレーム）を含む所定数秒間分の映像信号（警告音に対応するシーン）を対象として文字列検出を行う。文字列検出は、映像のフレーム単位で実行する。例えば、図３に示すように、信号処理部１４は、映像のフレームＦにおける、速報のテキストが重畳される領域として予め位置およびサイズが定められた特定領域（映像の上端付近の矩形領域ＳＡ）を対象として文字列検出を行う。文字列検出、つまり文字検出の具体的方法は公知の手法を含めて特に限られないが、例えば、速報のテキストは白色であることを想定し、特定領域内に含まれる画素の輝度や色情報に基づいて白色の文字検出を行う。また、画素の輝度や色情報に基づく判断に加えて、信号処理部１４は、特定領域内でエッジ検出を行うことにより、文字検出の精度（文字列が存在するか否かの判断の精度）を高めることができる。ちなみに図３では、矩形領域ＳＡに地震速報としてのテキスト（文字列）が表示されている例を示している。
【００２８】
信号処理部１４は、文字列検出の対象としたフレームの特定領域から文字列の検出に成功した場合（文字列が存在すると判断した場合）、当該フレームにおける検出した文字列を構成する画素（文字列画素）の色を、文字列以外の映像情報により補間する。この場合、例えば、文字列画素に平均化フィルタ（平滑化フィルタ）を適用することで、文字列画素の周辺の画素の色情報（文字列以外の映像情報）を用いて文字列画素の色を平均化する（ぼやかす）。あるいは、文字列画素の色を、文字列画素の周辺の文字列画素ではない画素の色で置換するとしてもよい。このような文字補間処理を、前記警告音が発生した時点の音声信号と同期する映像信号を含む数秒間分の映像信号を対象として行う。ステップＳ１２０の実現に関わる構成（信号処理部１４）は、音声映像処理部の一例に該当する。
【００２９】
ステップＳ１３０では、制御部２０は、ステップＳ１００で信号処理部１４に入力させたコンテンツを所定の記録媒体へ記録する。つまり、ある番組を録画する録画処理であれば、信号処理部１４を経て当該番組にかかる映像信号および音声信号を符号化してＨＤＤ部１２に入力させ、ハードディスクに当該番組にかかる映像信号および音声信号を動画データとして記録させる。また、ハードディスクに録画された番組を光ディスクにダビングするダビング処理であれば、信号処理部１４を経て当該番組にかかる映像信号および音声信号を符号化してＤＶＤ部１３に入力させ、光ディスクに当該番組にかかる映像信号および音声信号を動画データとして記録させる。具体的には、ステップＳ１２０からステップＳ１３０へ進む場合は、ステップＳ１２０で警告音除去処理と文字補間処理とが施された番組（番組の一部を構成する音声信号および映像信号）を記録媒体へ記録し、ステップＳ１１０からステップＳ１３０へ進む場合は、警告音除去処理と文字補間処理とが施されていない、番組を構成する元のままの音声信号および映像信号を記録媒体へ記録する。ステップＳ１３０の実現に関わる構成（制御部２０、ＨＤＤ部１２、ＤＶＤ部１３、信号処理部１４等）は、記録処理部の一例に該当する。
【００３０】
ステップＳ１００で記録の対象となるコンテンツの入力が開始された後は、当該コンテンツ（番組）の最後のシーンの記録媒体への記録が完了するまで、ステップＳ１００〜Ｓ１３０はループして実行される。
このような第１実施例によれば、レコーダ１００は、チューナ１１により受信した放送信号に重畳された番組等、記録の対象として入力した番組から、速報を知らせるための警告音を検出したことを条件として、警告音除去処理と文字補間処理とを実行し、警告音除去処理と文字補間処理とを施した番組を記録媒体へ記録する。従って、番組に含まれる速報としての音声（警告音）および文字列が除去された状態で当該番組を録画あるいはダビングでき、ユーザが当該番組を再生させて視聴する際の快適性が担保される。
【００３１】
実施形態は上述の内容に限られるものではなく種々の態様が考えられ、後述するような各実施例を採用可能である。本明細書における実施形態や実施例を適宜組み合わせた構成も、本発明の開示範囲に入る。以下では、既に説明した事項が適宜適用されるものとし、既に説明した事項と異なる点を主に説明する。
【００３２】
（第２実施例）
図４は、第２実施例にかかる番組記録処理を示すフローチャートである。当該フローチャートの各ステップは、制御部２０による制御下で実行される。図４を、図２（第１実施例）と比較したとき、ステップＳ１１５が追加されている点で異なる。
【００３３】
第２実施例では、信号処理部１４は、ステップＳ１１０において、警告音を検出したと判定した場合はステップＳ１１５へ進み、警告音を検出しなかったと判定した場合はステップＳ１３０へ進む。ステップＳ１１５では、信号処理部１４は、前記警告音が発生した時点の音声信号と同期する映像信号（フレーム）を含む所定数秒間分の映像信号（警告音に対応するシーン）を対象として文字列検出を行う。文字列検出の方法は既に述べた通りである。信号処理部１４は、文字列検出に成功した場合（文字列が存在すると判断した場合）、ステップＳ１２０へ進み、文字列検出に成功しなかった場合（文字列が存在しないと判断した場合）、ステップＳ１３０へ進む。
【００３４】
ステップＳ１２０では、信号処理部１４は、上述したように、ステップＳ１１０で検出された警告音を除去する警告音除去処理と、当該警告音に対応するシーンを構成する映像の特定領域内の文字列を当該文字列以外の映像情報により補間する文字補間処理と、を実行する。第２実施例におけるステップＳ１２０では、文字補間処理に際し、既にステップＳ１１０で文字列を検出済みであるため、改めて文字列を検出する必要は無く、ステップＳ１１０で検出した文字列を構成する画素（文字列画素）を、文字列以外の映像情報により補間すればよい。
【００３５】
このような第２実施例によれば、レコーダ１００は、チューナ１１により受信した放送信号に重畳された番組等、記録の対象として入力した番組から、速報を知らせるための警告音を検出し、かつ、前記特定領域から当該速報に該当する文字列を検出した場合に限り、警告音除去処理と文字補間処理とを実行し、警告音除去処理と文字補間処理とを施した番組を記録媒体へ記録する。従って、確実に速報が番組に重畳されている場合に限り、警告音除去処理と文字補間処理とが実行される。例えば、警告音に似た音声が番組の音声の一部として含まれていることもあり得る。第２実施例によれば、そのような警告音に似た音声を警告音として誤検出した場合であっても（ステップＳ１１０において“Ｙｅｓ”）、次のステップＳ１１５で文字列が検出されることは無い（ステップＳ１１５において“Ｎｏ”）ため、当該誤検出した音声をステップＳ１２０の警告音除去処理で除去してしまうという不都合を回避できる。
【００３６】
（第３実施例）
図５は、第３実施例にかかる番組記録処理を示すフローチャートである。当該フローチャートの各ステップは、制御部２０による制御下で実行される。第３実施例における番組記録処理は、放送信号を受信して、当該放送信号に含まれる番組を第１の記録媒体に記録（録画）し、更にその後、当該番組を第２の記録媒体に記録（ダビング）する処理や、既にある記録媒体に記録（録画）されている番組のデータを、他の記録媒体（第１の記録媒体）に記録（ダビング）し、更にその後、当該番組を第２の記録媒体に記録（ダビング）する処理を想定している。記録媒体（第１の記録媒体や第２の記録媒体等）は、主として、上述したＨＤＤ部１２が有するハードディスクや、ＤＶＤ部１３が扱うＤＶＤ等の光ディスクであるが、ＶＨＳ方式のビデオテープ等を含めて、レコーダ１００が情報の記録に使用できるメディアであれば何でもよい。また、第１の記録媒体と第２の記録媒体は、物理的に異なる記録媒体（例えば、ハードディスクとＤＶＤ）であってもよいし、物理的には同一の記録媒体内に論理的に区画された異なる記録領域であってもよい。
【００３７】
ステップＳ２００，Ｓ２１０は、図２のステップＳ１００，Ｓ１１０と同じであるため説明を省略する。ステップＳ２１０において、警告音を検出した（警告音の検出成功）と判定した場合、処理はステップＳ２２０へ進み、警告音を検出しなかったと判定した場合、処理はステップＳ２３０へ進む。
【００３８】
ステップＳ２２０では、信号処理部１４は、ステップＳ２１０で検出された警告音の存在を示すためのマーキング情報をコンテンツに付す。マーキング情報の具体的態様は様々であるが、例えば、番組を構成する複数の前記パケットのうち、前記警告音と判定された音声信号を情報として有するパケットのヘッダに、マーキング情報として所定のフラグを付加する。ステップＳ２２０の実現に関わる構成（信号処理部１４）は、マーキング処理部の一例に該当する。
【００３９】
ステップＳ２３０では、制御部２０は、ステップＳ２００で信号処理部１４に入力させたコンテンツを第１の記録媒体へ記録する。つまり、ある番組を録画する録画処理であれば、信号処理部１４を経て当該番組にかかる映像信号および音声信号を符号化してＨＤＤ部１２に入力させ、ハードディスク（第１の記録媒体の一例）に当該番組にかかる映像信号および音声信号を動画データとして記録させる。また、ハードディスクに録画された番組を光ディスクにダビングするダビング処理であれば、信号処理部１４を経て当該番組にかかる映像信号および音声信号を符号化してＤＶＤ部１３に入力させ、光ディスク（第１の記録媒体の一例）に当該番組にかかる映像信号および音声信号を動画データとして記録させる。具体的には、ステップＳ２２０からステップＳ２３０へ進む場合は、ステップＳ２２０でマーキング情報が付加された番組（番組の一部を構成する音声信号および映像信号）を第１の記録媒体へ記録し、ステップＳ２１０からステップＳ２３０へ進む場合は、マーキング情報が付加されていない、番組を構成する元のままの音声信号および映像信号を第１の記録媒体へ記録する。ステップＳ２００で記録の対象となるコンテンツの入力が開始された後は、当該コンテンツ（番組）の最後のシーンの第１の記録媒体への記録が完了するまで、ステップＳ２００〜Ｓ２３０はループして実行される。ステップＳ２３０の実現に関わる構成（制御部２０、ＨＤＤ部１２、ＤＶＤ部１３、信号処理部１４等）は、第１記録処理部の一例に該当する。
【００４０】
ステップＳ２４０では、制御部２０は、第１の記録媒体に記録した番組に含まれる速報を除去するか否かを、外部からの指示に応じて判定する。例えば、制御部２０は、ＯＳＤ（On-Screen Display）信号に基づくＯＳＤ画面を表示装置２００に表示させる。当該ＯＳＤ画面は、ユーザに第１の記録媒体に記録した番組に含まれる速報を除去するか否かを問い合わせるメッセージを有するものである。ユーザは、当該ＯＳＤ画面による問い合わせに応じて、リモコン２を操作することにより、第１の記録媒体に記録した番組に含まれる速報を除去する／しない、のいずれかの指示をレコーダ１００に入力することができる。制御部２０は、受信部１９を介して、第１の記録媒体に記録した番組に含まれる速報を除去する／しない、のいずれの指示が入力されたかを監視し、第１の記録媒体に記録した番組に含まれる速報を除去する旨の指示が入力されればステップＳ２５０へ進み、第１の記録媒体に記録した番組に含まれる速報を除去しない旨の指示が入力されればステップＳ２６０へ進む。ステップＳ２４０の実現に関わる構成（制御部２０や受信部１９）は、指示受付部の一例に該当する。
【００４１】
なお、多くの場合、ステップＳ２３０とステップＳ２４０との間には、時間的隔たりが存在する。例えば、ユーザのリモコン２等の操作により、第１の記録媒体に録画された番組が第２の記録媒体へのダビングの対象（ダビング対象番組）として選択されたとき、当該ダビングを開始する前に、制御部２０は、ユーザへの問い合わせ（意思確認）として前記ＯＳＤ画面を表示させ、ステップＳ２４０における分岐を行う。従って、図５に示したステップＳ２００〜Ｓ２３０の処理と、ステップＳ２４０〜Ｓ２６０の処理とは、それぞれが独立した別のフローチャートとして表現されてもよい。
【００４２】
ステップＳ２５０では、前記ダビング対象番組について、前記ステップＳ２２０で付されたマーキング情報に基づいて前記警告音を除去する警告音除去処理と、当該警告音に対応するシーンを構成する映像の特定領域から文字列を検出して当該文字列を当該文字列以外の映像情報により補間する文字補間処理と、を実行する。この場合、制御部２０は、第１の記録媒体に録画済みの番組であって前記速報の除去が指示されたダビング対象番組のデータを、第１の記録媒体から信号処理部１４へ入力させる。信号処理部１４は、当該入力された番組のデータを構成する各パケットのヘッダを解析し、前記マーキング情報としてのフラグの有無を判断する。そして、当該フラグが付加されているパケットに含まれる音声信号を復号化し、この音声信号に対し、前記ノイズキャンセル用のフィルタ（バンドパスフィルタ等）を適用することにより、前記警告音を除去した音声信号を得る（警告音除去処理）。
【００４３】
また、信号処理部１４は、第１の記録媒体から信号処理部１４へ入力された番組のデータを構成する各パケットから復号化した映像信号であって、前記フラグが付加されたパケットから復号化した音声信号と同期する映像信号（フレーム）を含む所定数秒間分の映像信号（マーキング情報に基づいて特定したシーンを構成する映像）を対象として、上述した文字列検出を行い、検出した文字列を構成する画素（文字列画素）を文字列以外の映像情報により補間する（文字補間処理）。なお、ステップＳ２５０では、結果的にダビング対象番組のデータから前記マーキング情報としてのフラグが発見されなかった場合は、警告音除去処理および文字補間処理は実行されない。
【００４４】
ステップＳ２６０では、制御部２０は、前記ダビング対象番組を第２の記録媒体へ記録（ダビング）する。具体的には、ステップＳ２５０からステップＳ２６０へ進む場合は、ステップＳ２５０で警告音除去処理と文字補間処理とが施された後のダビング対象番組のデータを符号化して第２の記録媒体へ記録し、ステップＳ２４０からステップＳ２６０へ進む場合は、第１の記録媒体に記録されていたダビング対象番組のデータをそのまま第２の記録媒体へ記録（コピー）する。ステップＳ２６０の実現に関わる構成（制御部２０、ＨＤＤ部１２、ＤＶＤ部１３、信号処理部１４等）は、第２記録処理部の一例に該当する。
【００４５】
このような第３実施例によれば、レコーダ１００は、番組を第１の記録媒体に録画等するときに、当該番組に速報に該当する警告音が含まれていれば、前記マーキング情報を付して録画等することで、録画等に要する処理負担（警告音除去処理と文字補間処理とを伴う場合の処理負担）を軽減することができる（ステップＳ２００〜Ｓ２３０）。また、ユーザが、速報の除去を望んだ場合（ステップＳ２４０において“Ｙｅｓ”）に、前記マーキング情報に従って特定される番組内のシーン中の速報を除去（警告音除去処理と文字補間処理とを実行）し（ステップＳ２５０）、速報が除去された番組を第２の記録媒体に記録することができる。そのため、ユーザが当該番組を再生させて視聴する際の快適性が担保される。また、ユーザが速報の除去を必要としないにもかかわらず当該除去を実行する、といった処理の無駄を回避できる。また、第３実施例では、第１の記録媒体と第２の記録媒体は全く同じ記録媒体であるとし、ステップＳ２３０で記録媒体に記録した番組のデータを、ステップＳ２６０において上書き（ステップＳ２５０の処理を経た番組のデータによって上書き）するとしてもよい。
【００４６】
（第４実施例）
図６は、速報の除去に関する設定画面Ｇを例示している。設定画面Ｇは、ＯＳＤ信号に基づくＯＳＤ画面の一種であり、制御部２０は、設定画面Ｇを表示装置２００に表示させることができる。制御部２０は、例えば、ステップＳ１１０（図２）で“Ｙｅｓ”の判定後、ステップＳ１２０を実行する前に設定画面Ｇを表示させたり、ステップＳ１１５（図４）で“Ｙｅｓ”の判定後、ステップＳ１２０を実行する前に設定画面Ｇを表示させたり、ステップＳ２４０（図５）で“Ｙｅｓ”の判定後、ステップＳ２５０を実行する前に設定画面Ｇを表示させたりする。
【００４７】
設定画面Ｇは、文字除去の強度を設定するための設定欄Ｇ１と、警告音除去の強度を設定するための設定欄Ｇ２とを含む。ユーザは、リモコン２等を操作することにより、設定欄Ｇ１で示される文字除去の強度（例えば、スライダＳＤ１で示される強度）の設定を任意に変更することができ、同様に、設定欄Ｇ２で示される警告音除去の強度（例えば、スライダＳＤ２で示される強度）の設定を任意に変更することができる。制御部２０は、設定画面Ｇを通じて変更された文字除去の強度の設定および警告音除去の強度の設定に従って、ステップＳ１２０やステップＳ２５０で文字補間処理および警告音除去処理を実行する。なお、文字除去の強度とは、文字列画素をぼやけさせる強度であり、例えば、直接的には前記平均化フィルタ（平滑化フィルタ）のサイズや重み係数の分布の違いを指す。また、警告音除去の強度とは、例えば、前記警告音を除去するためのフィルタによる特定の周波数に対する除去効果の強度や除去の対象とする周波数帯域の幅の違いを指す。
【００４８】
このような第４実施例によれば、ユーザが所望する程度の強度で、速報としての警告音および文字列を除去することができる。なお、設定画面Ｇを通じて文字除去の強度の設定や警告音除去の強度の設定を受け付ける構成（制御部２０や受信部１９）は、設定受付部の一例に該当する。
【００４９】
（その他の実施例）
本発明による速報の除去（警告音および文字列の除去）の手法は、番組がデジタル放送で配信される番組かアナログ放送で配信される番組かによらず、いずれにも適用可能である。
【００５０】
さらに、
・上記各実施例の中で開示した相互に置換可能な部材および構成等を適宜その組み合わせを変更して適用すること、
・上記各実施例の中で開示されていないが、公知技術であって上記各実施例の中で開示した部材および構成等と相互に置換可能な部材および構成等を適宜置換し、またその組み合わせを変更して適用すること、
・上記各実施例の中で開示されていないが、公知技術等に基づいて当業者が上記各実施例の中で開示した部材および構成等の代用として想定し得る部材および構成等と適宜置換し、またその組み合わせを変更して適用すること、
は本発明の一実施例として開示されるものである。
【符号の説明】
【００５１】
２…リモコン、１００…レコーダ、１１…チューナ、１２…ＨＤＤ部、１３…ＤＶＤ部、１４…信号処理部、１８…出力部、１９…受信部、２０…制御部、２００…表示装置、Ｆ…フレーム、Ｇ…設定画面、ＳＡ…矩形領域
【図１】
2016012759.tif 000003
【図２】
2016012759.tif 000004
【図３】
2016012759.tif 000005
【図４】
2016012759.tif 000006
【図５】
2016012759.tif 000007
【図６】
2016012759.tif 000008
【手続補正書】
【提出日】平成26年10月24日(2014.10.24)
【手続補正１】
【補正対象書類名】特許請求の範囲
【補正対象項目名】請求項４
【補正方法】変更
【補正の内容】
【請求項４】
前記速報を除去することの指示を外部から受け付け可能な指示受付部を備え、
前記指示受付部が前記指示を受け付けた場合に、前記音声映像処理部は、前記警告音除去処理と前記文字補間処理とを実行し、前記第２記録処理部は、前記警告音除去処理と前記文字補間処理とが施された前記コンテンツを第２の記録媒体へ記録し、
前記指示受付部が前記指示を受け付けなかった場合には、前記第２記録処理部は、前記第１の記録媒体に記録された前記コンテンツをそのまま前記第２の記録媒体へ記録する、ことを特徴とする請求項３に記載の録画装置。